(57)【要約】      （修正有）【課題】公文書館、博物館、図書館などで保管されるマイクロフイルムから発生する有機酸によるマイクロフイルムの劣化を防止するための有機酸や酸性ガス除去装置を提供する。【解決手段】マイクロフイルムから発生した酢酸ガスなどの有機酸を含んだ保存室内の空気を、空気吸い込み口９と空気吹き出し口を形成した箱型の本体内にプレフィルタ１１と吸着パネル１０と送風機１３及び中高性能フィルタ１２とを内蔵した有機酸や酸性ガス除去装置により、マイクロフイルムから発生した酢酸ガスなどの有機酸や酸性ガスを含んだ室内の空気を浄化して清浄空気として室内に戻して、これを繰り返して室内空気を清浄空気に入れ替えるようにする。【選択図】図３
2010194278.tif 000002
【特許請求の範囲】
【請求項１】
空気吸い込み口と空気吹き出し口を形成した箱型の本体内にプレフィルタと吸着パネルと送風機及び中高性能フィルタとを内臓したことを特徴とする有機酸や酸性ガス除去装置。
【請求項２】
吸着パネルの気流方向上流側にプレフィルタを、気流方向下流側に中高性能フィルタおよび送風機を設けたことを特徴とする請求項１の有機酸や酸性ガス除去装置。
【請求項３】
吸着パネルは酢酸ガスなどの有機酸を除去する機能を持った吸着材で充填されたことを特徴とする請求項１の有機酸や酸性ガス除去装置。
【請求項４】
吸着パネルを本体内に設けた枠に平板状あるいはジグザグ状に取り付けたことを特徴とする請求項１の有機酸や酸性ガス除去装置。
【請求項５】
吹き出し口に可変型ルーバを設けたことを特徴とする請求項１の有機酸や酸性ガス除去装置。
【請求項６】
吸着材は基材にイオン交換基をグラフト重合や薬品添着により形成させて得られた粒状あるいは微粒子状であることを特徴とする請求項１の有機酸や酸性ガス除去装置。
【請求項７】
吸着材の基材は活性炭、ゼオライト材料等の多孔質基材を用いたことを特徴とする請求項１の有機酸や酸性ガス除去装置。
【請求項８】
プレフィルタおよび中高性能フィルタに銀ゼオライト等の抗菌・殺菌剤を添着させ用いたことを特徴とする請求項１の有機酸や酸性ガス除去装置。
【請求項９】
プレフィルタおよび中高性能フィルタあるいは吸着材に交換目安指標となる運転時間計モニターを設けたことを特徴とする請求項１の有機酸や酸性ガス除去装置。
【発明の詳細な説明】
【技術分野】
【０００１】  本発明は公文書館、博物館、図書館などの保存室で文書や画像の記録として保存されるマイクロフイルムから発生される酢酸ガスなどの有機酸によりマイクロフイルム自身の劣化を防止するようにした有機酸や酸性ガス除去装置に関するものである。
【背景技術】
【０００２】  従来、マイクロフイルムに記録された価値のある情報を後世に永く残すために様々な保存がなされている。しかしながら、短時間における温湿度の反復変動を繰り返すような保存室では２５〜３０年以上の長期にわたってマイクロフイルムを保管して置いておくと、特にセルロースエステル素材をベースとしたＴＡＣベースの場合きわめて遅いが加水分解反応が起こり、この加水分解の過程で僅かな酢酸が生じ保存室内に蓄積され、それがあるレベル以上に達すると急激に劣化を招いてしまうといったことがわかってきた。【０００３】  そこで、例えば保存容器に収納し、できるだけ良い環境の場所に置き、保存容器の中には乾燥剤などを入れて管理したりしているが、温湿度の点検や乾燥剤の入れ替え、フイルムの検査などを定期的に行わなければならず管理に煩わしい手間が掛かる上、酢酸ガスなどの有機酸や酸性ガスを除去する機能を持っていない為酢酸ガスの低減には十分な効果がなく保存容器から漏れでて保存室にマイクロフイルムの劣化を生じさせていた。【０００４】  さらに保存室の温湿度の環境条件を良く保つため室内にエアコン設備を備え２４時間通年運転によって保存環境条件を維持して酢酸ガスなどの有機酸や酸性ガスの発生を抑制しょうと試みられているが、いまだ十分な効果が期待できず、マイクロフイルムの劣化を抑えることが難しかった。
【発明の概要】
【発明が解決しょうとする課題】
【０００５】  そこで本発明はこれらの課題を解決しょうとしたもので、第１の目的はマイクロフイルムから発生した保存室内の酢酸ガスなどの有機酸や酸性ガスを除去しょうとしたものである。
【０００６】  もう一つの本発明の目的は保存室内に有機酸や酸性ガス除去装置を設置し、有機酸や酸性ガス除去装置の運転スイッチを押すだけと言った簡単な操作で保存室内の酢酸ガスなどの有機酸や酸性ガス濃度を低減しようとしたものである。
【０００７】  もう一つの本発明の目的は保存室内の酢酸ガスなどの有機酸や酸性ガスやちりおよびほこりを除去した清浄空気を遠方に吹き出す事から室内空気の拡散を行い、ガスの滞留をなくすと共に、ショートパスを防止した粉じん、花粉、有害ガス除去を可能にしょうとしたものである。
【０００８】  もう一つの本発明の目的は粉じん、花粉、有害ガスおよび調湿機能を兼ね備えることにより貴重文書、美術品保管等で重要となる、調湿作用も付与しょうとしたものである。
【０００９】  もう一つの本発明の目的は除菌作用と付着菌・カビ等の抗菌・殺菌効果を備えることにより、貴重文書、美術品等の汚損を防止できるガス・粉じん・カビ・他微生物類の除去と殺菌・脱臭・脱ガス効果を可能にしょうとしたものである。
【００１０】  もう一つの本発明の目的はプレフィルタおよび中高性能フィルタあるいは吸着材の交換目安を可能にしょうとしたものである。
【００１１】  もう一つの本発明の目的は設置する場所に自由に移動可能にしたものである。
【課題を解決するための手段】
【００１２】  本発明の第１の解決手段は、吸い込み口と吹き出し口を形成した箱型の本体内にプレフィルタと吸着パネルと送風機及び中高性能フィルタとを内蔵したことを特徴とする有機酸や酸性ガス除去装置を提供しょうとしたものである。
【００１３】  本発明の第２の解決手段は、酢酸ガスなどの有機酸や酸性ガスを除去する機能を持った吸着材を収納した吸着パネルを本体内に設けた枠に平板状あるいはジグザグ状に取り付けたことを特徴としたものである。
【００１４】  本発明の第３の解決手段は、吸着パネルの上流側にプレフィルタを、吸着パネルの下流側に中高性能フィルタを設けたことを特徴としたものである。
【００１５】  本発明の第４の解決手段は、活性炭、ゼオライト材料等の多孔質基材を用いることにより、貴重文書、美術品保管等で重要となる、調湿作用も付与した、粉じん、花粉、有害ガスおよび調湿機能を兼ね備えたことを特徴としたものである。
【００１６】  本発明の第５の解決手段は、プレフィルタおよび中高性能フィルタに銀ゼオライト等の抗菌・殺菌剤を添着させて、除菌作用と付着菌・カビ等の抗菌・殺菌効果を備えることにより、貴重文書、美術品等の汚損を防止できるガス・粉じん・カビ・他微生物類の除去と殺菌・脱臭・脱ガス効果を可能にしたことを特徴としたものである。
【００１７】  本発明の第６の解決手段は、プレフィルタおよび中高性能フィルタあるいは吸着材に交換目安指標となる運転時間計モニターを設けたことを特徴としたものである。
【００１８】  本発明の第７の解決手段は、本体下部に空気の吸い込み口、上部に吹き出し口を形成し、さらに底部にキャスタを取り付けたことを特徴としたものである。
【００１９】  ここで酢酸ガスなどの有機酸や酸性ガスを除去する機能を持った吸着材は基材にイオン交換基をグラフト重合や薬品添着により形成させて得られた粒状あるいは微粒子状をなしている。
基材としては吸着性のある物質でイオン交換基をグラフト重合や薬品添着で形成できるもので良く、例えば活性炭、シリカゲル、ゼオライトといった無機質多孔性体や、パルプ、高分子多孔性体などの有機質多孔性体などが採用される。
【００２０】  また、イオン交換基としては酢酸ガスなどの有機酸や酸性ガスを化学的に吸着するアニオン交換基が挙げられる。そして、アニオン交換基は強塩基性の４級アンモニウム基、弱塩基性の４級アンモニウム基、弱塩基性の３級アミン、２級アミン、苛性ソーダ、炭酸ナトリウム、水酸化カリウムなどのアルカリ金属類又はアルカリ土類金属などが使用される。
【００２１】  これらの交換基を基材にグラフト重合する方法としては、従来公知のグラフト重合法が採用でき、例えば紫外線あるいはプラズマ、電離線などを照射して基材にラジカルを発生させ、所定の交換基を重合させて形成することができる。
【００２２】  これらの交換基を基材に薬品添着する方法としては、アルカリ金属類又はアルカリ土類金属類の酸化物、水酸化物、炭酸塩等の水溶液を基材に含浸、乾燥させて形成することができる。
【００２３】  さらに、吸着パネルは上端を着脱可能な蓋板として他端を側板で形成した略長方体のケーシングとケーシングの前面及び背面の全面開口に貼り付けた多孔板にて構成したパネルケースに前記吸着材を充填して構成したものである。
【００２４】  そして、吸着パネルへの吸着材の取替えは枠の上端の着脱可能な蓋板を取り外して上方から吸着材を出し入れすることにより行われている。
【００２５】  また、吸着パネルの上流側のプレフィルタはフィルタ保持枠に接着材あるいは係止ツメなどを介して取り付けられている。
【００２６】  そしてプレフィルタはガラス繊維あるいは不織布あるいはポリエステル繊維、ポリアミド繊維、ポリオレフィン繊維、レーヨン繊維などの合成繊維を湿式抄紙法や乾式法、スパンボンド法、メルトブロー法などで形成した１枚のろ材シートまたはこのろ材シートに銀ゼオライト等の抗菌・殺菌剤を添着させたろ材シートをフィルタ枠に取り付けたものである。
【００２７】  また、前記プレフィルタは平均粉じん捕集効率が比色法で２０〜８０％であることが望ましい。
【００２８】  次に中高性能フィルタは繊維径が６μｍ以下（中心繊維径：３．５μｍ前後）で且つ繊維重量の９３重量％以上のガラス繊維あるいは不織布あるいはポリエステル繊維、ポリアミド繊維、ポリオレフィン繊維、レーヨン繊維などの合成繊維の単独あるいは適宜混合して湿式抄紙法や乾式法、スパンボンド法、メルトブロー法などで形成した１枚のろ材シートまたはこのろ材シートに銀ゼオライト等の抗菌・殺菌剤を添着させたろ材シートををジグザグ状に折り畳んでフィルタろ材とし、このろ材間に適宜材質のセパレータを挟んだりジグザグ状に折り畳んだろ材間に塗布したビードでろ材同志が密着しないように剛性をもたせて固定し上下にパッキンを取り付けて気密性を持たせてセル型に形成したものである。
【００２９】  そして前記中高性能フィルタの濾材シートはシートの厚みが０．２〜２．０ｍｍで、粒径０．３μｍの粒子に対して８０〜９９．９５％の捕集効率を有している。
【００３０】  上記効率や数字は各段のフィルタ配置によって種々変更されても何ら要旨を変更するものではない。
【００３１】  上記課題解決手段による作用は次の通りである。まず、本体内に内蔵した送風機の吸気運転によりマイクロフイルムから発生した酢酸ガスなどの有機酸や酸性ガスを含んだ保存室内の空気は本体に形成された空気吸い込み口より本体内に取り入れられる。次に、本体内に取り入れられた空気はプレフィルタにてちりおよびほこりなどの比較的大きなダストが除去される。そして後段の吸着パネルへのちりおよびほこりなどのダスト負荷を軽減できるようになっている。
【００３２】  次に比較的大きなダストが除去された空気は吸着パネルを通過する。この時点で吸着パネル内に充填された吸着材により酢酸ガスなどの有機酸や酸性ガスが吸着材上のイオン交換基との化学反応により吸着除去される。
【００３３】  さらに、比較的大きなダストおよび吸着パネルを通過し酢酸ガスなどの有機酸や酸性ガスが除去された空気は高い捕集効率を有した中高性能フィルタを通過する。その際空気中に含まれた細かな粒径ダストは除去され清浄な空気として本体に形成された空気吹き出し口より保存室内に吐き出される。
【００３４】  そして、上記運転を継続することによってマイクロフイルムから発生した酢酸ガスなどの有機酸や酸性ガスを含んだ室内空気全体は除々に浄化され、ついには清浄な空気で室内は充満される。
【発明の効果】
【００３５】  上述したように、本発明の有機酸や酸性ガス除去装置は次のような効果が得られる。
（１）有機酸や酸性ガス除去装置は箱型の本体内に内蔵したプレフィルタと吸着パネルと送風機及び中高性能フィルタとから構成されたもので、構造が非常に簡単に出来ていて取り扱いが容易である上、設置スペースを小さくでき現地設置の簡素化が図れる。
（２）吸着パネルには有機酸や酸性ガスを除去する機能を持った吸着剤が充填されているので、吸着パネルを通過した空気は有機酸が除去される。
（３）さらに、有機酸や酸性ガスが除去された空気は中高性能フィルタで細かな粒径ダストが除去された後空気吹き出し口より室内へ吐き出されるので、清浄化された空気が室内に供給される。これらの操作を繰り返すことにより保存室内の空気は、確実に清浄化され、室内にいる人員の健康や保存しているマイクロフイルムの劣化を抑えることができる。
（４）吸着パネルの前段にプレフィルタを設置したので吸着パネルに流入する塵埃濃度を大幅に低減でき、吸着パネルの圧力損失の上昇度合いを抑制でき長寿命化が図れ、ランニングを含めたトータルコストの省力化が可能となる。
（５）清浄空気を遠方に吹き出す事から室内空気の拡散を行い、ガスの滞留をなくすと共に、ショートパスを防止した粉じん、花粉、有害ガス除去を可能となる。
（６）粉じん、花粉、有害ガスおよび調湿機能を兼ね備えたので貴重文書、美術品保管等で重要となる調湿作用も可能である。
（７）除菌作用と付着菌・カビ等の抗菌・殺菌効果を備えているので、貴重文書、美術品等の汚損を防止できガス・粉じん・カビ・他微生物類の除去と殺菌・脱臭・脱ガス効果が可能である。
（８）プレフィルタおよび中高性能フィルタあるいは吸着材の交換目安が可能である。
（９）箱型の本体底部にキャスタを取り付けたので、保存室内の設置したい場所に自由に移動可能である。
【図面の簡単な説明】
【００３６】
【図１】本発明の実施例１の正面図を示す。
【図２】第１図の平面図を示す。
【図３】１部内部を示す第１図の左面図。
【図４】第１図の右面図を示す。
【図５】１部内部を示す本発明実施例２の正面図。
【図６】第５図の平面図を示す。
【図７】１部内部を示す第５図の左面図。
【図８】第５図の右面図を示す。
【図９】１部内部を示す本発明実施例２の正面図。
【図１０】第５図の平面図を示す。
【図１１】１部内部を示す第５図の左面図。
【図１２】第５図の右面図を示す。
【発明を実施するための形態】
【００３７】  以下本発明の有機酸や酸性ガス除去装置について図面を参照して詳細に説明する。
【実施例１】  狭いマイクロフイルム保存室内に設置した場合の有機酸や酸性ガス除去装置について図１から図４を参照して説明する。１は箱型の本体で、本体１は両側面板２、３と一方の側面板２にヒンジ止めされた正面ドア４とキャスタ５を取り付けた底板６と上板７および背板８とから構成されている。そして、正面ドア４の正面には空気吸い込み口９が形成されている。【００３８】  また、本体１の内部には吸着パネル１０が気密に平板状に取り付けられるように枠に取り付けられている。【００３９】  吸着パネル１０の気流方向上流側にはプレフィルタ１１が枠に取り付けられ、気流方向下流側には中高性能フィルタ１２が枠に取り付けられている。そして中高性能フィルタ１２の後段には送風機１３が設置されている。さらに上板７には可変型ルーバ１４を設けた空気の吹き出し口１５が形成されている。
１６はプレフィルタおよび中高性能フィルタあるいは吸着材の交換目安指標になる運転時間計モニターである。【００４０】  実施例１の構造はこのように簡単な構造であるので、本体１内の送風機１３の吸気運転によりマイクロフイルムから発生した酢酸ガスなどの有機酸や酸性ガスを含んだ保存室内の空気は本体に形成された空気吸い込み口９より本体１内に取り入れられる。そして、本体１内に取り入れられた空気はプレフィルタ１１にてちりおよびほこりなどの比較的大きなダストが除去され、吸着パネルを通過する。そしてこの吸着パネル１０にて酢酸ガスなどの有機酸や酸性ガスが除去される。【００４１】  さらに、吸着パネル１０を通過した空気は中高性能フィルタ１２にて細かな粒径ダストが除去され清浄な空気として上板７に形成された空気吹き出し口１４より保存室内に吐き出される。【００４２】  そして、上記運転を継続することによってマイクロフイルムから発生した酢酸ガスなどの有機酸や酸性ガスを含んだ室内空気全体は除々に浄化され、ついには清浄な空気で室内は充満される。
【実施例２】
【００４３】  比較的広いマイクロフイルム保存室内に設置した場合の有機酸や酸性ガス除去装置について図５から図８を参照して説明する。２１は箱型の本体で、本体２１は両側面板２２、２３と一方の側面板２２にヒンジ止めされた正面ドア２４とキャスタ２５を取り付けた底板２６と上板２７および背板２８とから構成されている。そして、両側面板２２、２３と正面ドア２４の底部には空気吸い込み口２９がそれぞれ形成されている。さらに正面ドア２４の上部には可変型ルーバ３０を設けた空気の吹き出し口３１が形成されている。【００４４】  また、本体２１の内部には吸着パネル３２が気密にジグザグ状に枠に取り付けられている。【００４５】  吸着パネル３２の気流方向上流側にはプレフィルタ３３が枠に取り付けられ、気流方向下流側には中高性能フィルタ３４が枠に取り付けられている。そして中高性能フィルタ３４の前段には送風機３５が設置されている。３６はプレフィルタおよび中高性能フィルタあるいは吸着材の交換目安指標になる運転時間計モニターである。【００４６】  実施例２の構造はこのように簡単な構造であるので、本体２１内の送風機３５の吸気運転によりマイクロフイルムから発生した酢酸ガスなどの有機酸や酸性ガスを含んだ保存室内の空気は本体２１に形成された空気吸い込み口２９より本体２１内に取り入れられる。そして、本体２１内に取り入れられた空気はプレフィルタ３３にてちりおよびほこりなどの比較的大きなダストが除去され、吸着パネル３２を通過する。そしてこの吸着パネル３２にて酢酸ガスなどの有機酸や酸性ガスが除去される。【００４７】  さらに、吸着パネル３２を通過した空気は中高性能フィルタ３４にて細かな粒径ダストが除去され清浄な空気として正面ドア２４の上部に形成された空気吹き出し口３１より保存室内に吐き出される。【００４８】  そして、上記運転を継続することによってマイクロフイルムから発生した酢酸ガスなどの有機酸や酸性ガスを含んだ室内空気全体は除々に浄化され、ついには清浄な空気で室内は充満される。
【実施例３】
【００４９】  広いマイクロフイルム保存室内に設置した場合の有機酸や酸性ガス除去装置について図９から図１２に示すが実施例２とほぼ構造および作用効果が同じであることから図面中には実施例２と同じ番号を記し詳細な説明は省略する。【００５０】  尚、本実施例では本発明の一実施例を述べたもので、これに限定されることなく、種々変更しても何ら本発明の要旨を変更するものではない。また住宅や建物、ビルや医療施設などにおいて居住者に対するホルムアルデヒドやトルエンあるいはＳＯＸ、ＮＯＸなどの化学物質などの除去も可能で、シックハウス対策用空気清浄機として採用しても何ら本発明の要旨を変更するものではない。
また、スルホン酸基、カルボキシル基、リン酸基などのカチオン交換基をグラフト重合や薬品添着によりカチオン交換基を形成した吸着剤を有機酸を除去する機能を持った吸着剤に取り替えても使用できるものである。
【産業上の利用可能性】
【００５１】  マイクロフイルム保存室内においては、マイクロフイルムの保護および維持するために保存室内に有機酸や酸性ガス除去装置を置いて、マイクロフイルムから発生した酢酸ガスなどの有機酸や酸性ガスを含んだ室内の空気を浄化して清浄空気として室内に戻して、これを繰り返して室内空気を清浄空気に入れ替えるようにしたもので実用的はなはだ大なるものである。
【符号の説明】
【００５２】１・・・本体    ２・・・側面板    ３・・・側面板    ４・・・正面ドア
５・・・キャスタ    ６・・・底板    ７・・・上板    ８・・・背板
９・・・空気吸い込み口    １０・・・吸着パネル  １１・・・プレフィルタ
１２・・・中高性能フィルタ    １３・・・送風機  １４・・・可変型ルーバ
１５・・・空気の吹き出し口    １６・・・運転時間計モニター
２１・・・本体        ２２・・・側面板
２３・・・側面板    ２４・・・正面ドア    ２５・・・キャスタ
２６・・・底板      ２７・・・上板      ２８・・・背板２８
２９・・・空気吸い込み口        ３０・・・可変型ルーバ
３１・・・空気の吹き出し口      ３２・・・吸着パネル
３３・・・プレフィルタ    ３４・・・中高性能フィルタ  ３５・・・送風機
３６・・・運転時間計モニター
【図１】
2010194278.tif 000003
【図２】
2010194278.tif 000004
【図３】
2010194278.tif 000005
【図４】
2010194278.tif 000006
【図５】
2010194278.tif 000007
【図６】
2010194278.tif 000008
【図７】
2010194278.tif 000009
【図８】
2010194278.tif 000010
【図９】
2010194278.tif 000011
【図１０】
2010194278.tif 000012
【図１１】
2010194278.tif 000013
【図１２】
2010194278.tif 000014